(57)【特許請求の範囲】
【請求項１】
情報端末装置に接続され、
アンテナと、
このアンテナから受信した高周波信号を周波数変換及び復調しベースバンド受信信号を出力する受信回路部と、
入力されたベースバンド送信信号を変調及び周波数変換し前記アンテナに高周波信号を出力する送信回路部と、
前記ベースバンド送信信号及びベースバンド受信信号の信号処理を行うベースバンド信号処理回路部と、前記情報端末装置間のインターフェース機能を有するインターフェース回路部と、
前記各回路部に電源を供給する電源部と、前記情報端末装置に接続するコネクタとを備えたカード型無線通信装置において、
前記受信回路部に備えられたものであって、受信した前記高周波信号を増幅するために直列接続された複数の増幅器と、
前記アンテナから受信した高周波信号のレベルに応じて、受信信号レベルが強いレベルから弱いレベルの順序で第１の検出信号、第２の検出信号、第３の検出信号及び第４の検出信号を出力するとともに、受信信号レベルが前記第１の検出信号のレベル範囲にある場合に、受信信号レベルが強いレベルから弱いレベルの順序で複数の副検出信号を出力する受信信号レベル検出手段と、
前記電源部から前記送信回路部、ベースバンド信号処理回路部及びインターフェース回路部の３つの回路部への電源供給を前記３つの回路部ごとに独立してオンオフする第１のスイッチ手段と、
前記電源部から前記各増幅器への電源供給を前記各増幅器ごとに独立してオンオフする第２のスイッチ手段と、
前記各増幅器ごとに独立して前記各増幅器を短絡または開放する第３のスイッチ手段と、
前記第１の検出信号に対応して、前記送信回路部、ベースバンド信号処理回路部及びインターフェース回路部の電源を全てオンし、前記第２の検出信号に対応して、前記送信回路部の電源をオフ、前記ベースバンド信号処理回路部及びインターフェース回路部の電源をオンし、前記第３の検出信号に対応して、前記送信回路部及びベースバンド信号処理回路部の電源をオフ、前記インターフェース回路部の電源をオンし、前記第４の検出信号に対応して、前記送信回路部、ベースバンド信号処理回路部及びインターフェース回路部の電源を全てオフするように、前記３つの回路部の内で電源オンする回路部及び電源オフする回路部を記憶した第１の記憶手段と、
前記検出信号と前記第１の記憶手段に記憶された内容に基づき前記３つの回路部の電源をオンオフするように前記第１のスイッチ手段を制御する第１の制御手段と、
前記副検出信号に対応させて前記各増幅器の内で電源オンする増幅器及び電源オフする増幅器を記憶した第２の記憶手段と、
前記副検出信号と前記第２の記憶手段に記憶された内容に基づき前記各増幅器の電源をオンオフするように前記第２のスイッチ手段を制御するとともに電源がオンされた前記増幅器を開放し電源がオフされた前記増幅器を短絡するように前記第３のスイッチ手段を制御する第２の制御手段とを備えたことを特徴とするカード型無線通信装置。
【請求項２】
前記カード型無線通信装置は、前記アンテナから送受信される高周波信号の周波数帯域が２．４ＧＨｚ帯であり、スペクトラム拡散技術を利用した周波数ホッピング方式を使用していることを特徴とする請求項１に記載のカード型無線通信装置。
【請求項３】
情報端末装置と、
この情報端末装置に接続され、
アンテナと、
このアンテナから受信した高周波信号を周波数変換及び復調しベースバンド受信信号を出力する受信回路部と、
入力されたベースバンド送信信号を変調及び周波数変換し前記アンテナに高周波信号を出力する送信回路部と、
前記ベースバンド送信信号及びベースバンド受信信号の信号処理を行うベースバンド信号処理回路部と、
前記情報端末装置間のインターフェース機能を有するインターフェース回路部と、
前記各回路部に電源を供給する電源部と、前記情報端末装置に接続するコネクタとを備えたカード型無線通信装置とからなる無線通信システムにおいて、
前記カード型無線通信装置は、
前記受信回路部に備えられたものであって、受信した前記高周波信号を増幅するために直列接続された複数の増幅器と、
前記アンテナから受信した高周波信号のレベルに応じて、受信信号レベルが強いレベルから弱いレベルの順序で第１の検出信号、第２の検出信号、第３の検出信号及び第４の検出信号を出力するとともに、受信信号レベルが前記第１の検出信号のレベル範囲にある場合に、受信信号レベルが強いレベルから弱いレベルの順序で複数の副検出信号を出力する受信信号レベル検出手段と、
前記電源部から前記送信回路部、ベースバンド信号処理回路部及びインターフェース回路部の３つの回路部への電源供給を前記３つの回路部ごとに独立してオンオフする第１のスイッチ手段と、
前記電源部から前記各増幅器への電源供給を前記各増幅器ごとに独立してオンオフする第２のスイッチ手段と、
前記各増幅器ごとに独立して前記各増幅器を短絡または開放する第３のスイッチ手段とを備え、
前記情報端末装置は、
前記第１の検出信号に対応して、前記送信回路部、ベースバンド信号処理回路部及びインターフェース回路部の電源を全てオンし、前記第２の検出信号に対応して、前記送信回路部の電源をオフ、前記ベースバンド信号処理回路部及びインターフェース回路部の電源をオンし、前記第３の検出信号に対応して、前記送信回路部及びベースバンド信号処理回路部の電源をオフ、前記インターフェース回路部の電源をオンし、前記第４の検出信号に対応して、前記送信回路部、ベースバンド信号処理回路部及びインターフェース回路部の電源を全てオフするように、前記３つの回路部の内で電源オンする回路部及び電源オフする回路部を記憶した第１の記憶手段と、
前記検出信号と前記第１の記憶手段に記憶された内容に基づき前記３つの回路部の電源をオンオフするように前記第１のスイッチ手段を制御する第１の制御手段と、
前記副検出信号に対応させて前記各増幅器の内で電源オンする増幅器及び電源オフする増幅器を記憶した第２の記憶手段と、
前記副検出信号と前記第２の記憶手段に記憶された内容に基づき前記各増幅器の電源をオンオフするように前記第２のスイッチ手段を制御するとともに電源がオンされた前記増幅器を開放し電源がオフされた前記増幅器を短絡するように前記第３のスイッチ手段を制御する第２の制御手段とを備えていることを特徴とする無線通信システム。
【請求項４】
前記無線通信システムは、前記アンテナから送受信される高周波信号の周波数帯域が２．４ＧＨｚ帯であり、スペクトラム拡散技術を利用した周波数ホッピング方式を使用していることを特徴とする請求項３に記載の無線通信システム。
【発明の詳細な説明】
【０００１】
【発明の属する技術分野】
本発明は、パーソナルコンピュータ等の情報端末装置と接続され、スペクトラム拡散（Ｓｐｒｅａｄ  Ｓｐｅｃｔｒｕｍ）技術を利用した周波数ホッピング（Ｆｒｅｑｕｅｎｃｙ  Ｈｏｐｐｉｎｇ）方式を使用した無線通信機能を有するカード型無線通信装置及びそれを用いた無線通信システムに関するものである。
【０００２】
【従来の技術】
一般に、スペクトラム拡散技術を利用した通信においては、送信側にて音声等の入力ベースバンド信号が変調された変調信号が、拡散符号を使用してスペクトラム拡散された後、高周波信号として通信相手側に送信される。また、受信側では、通信相手側より受信されたスペクトラム拡散信号が、送信側と同一の拡散符号を使用して復調（逆拡散）される。
【０００３】
そして、スペクトラム拡散技術を利用した通信方式には、直接拡散（Ｄｉｒｅｃｔ  Ｓｐｒｅａｄ）方式と、周波数ホッピング方式とがある。直接拡散方式は、狭帯域変調波に拡散符号を乗算しながら拡散を行い、ある連続した周波数帯域を均一に使用するものである。一方、周波数ホッピング方式は、拡散符号で、通信相手との通信を行う際の搬送波の周波数をランダムに切り替えることで、周波数帯域内に信号を拡散するものであり、例えばブルートゥース（Ｂｌｕｅｔｏｏｔｈ）等がある。
【０００４】
図７は、従来のカード型無線通信装置の概略的構成を示すブロック回路図である。図７の従来のカード型無線通信装置５０は、以下の回路構成からなる。アンテナ５１は、受信回路部５２と送信回路部５７に接続されている。
【０００５】
受信回路部５２は、増幅器５３、ミキサ回路５４及び復調回路５５からなり、アンテナ５１は、増幅器５３、ミキサ回路５４、復調回路５５を介して、ベースバンド信号処理回路部６１に接続されている。また、送信回路部５７は、変調回路６０、ミキサ回路５９及び増幅器５８からなり、ベースバンド信号処理回路部６１は、変調回路６０、ミキサ回路５９、増幅器５８を介して、アンテナ５１に接続されている。そして、ミキサ回路５４及びミキサ回路５９には、局部発振器５６が接続されている。
【０００６】
また、ベースバンド信号処理回路部６１は、インターフェース回路部６２を介して、コネクタ６５に接続され、さらに、受信回路部５２、送信回路部５７及びベースバンド信号処理回路部６１のそれぞれには、回路制御部６３が接続されている。また、電源部６４は、コネクタ６５及びカード型無線通信装置５０の上記の各回路に接続されている。
【０００７】
次に、図７の従来のカード型無線通信装置５０の動作について説明する。受信側において、アンテナ５１で受信した通信相手側からのスペクトラム拡散信号（例えば２．４ＧＨｚ帯）は、増幅器５３により増幅され、ミキサ回路５４に印加される。前記受信高周波信号は、ミキサ回路５４及び復調回路５５によってベースバンド信号に復調され、ベースバンド信号処理回路部６１によって必要な信号処理が行われ、インターフェース回路部６２を介してコネクタ６５より図示しないパーソナルコンピュータ等の情報端末装置に出力される。
【０００８】
送信側において、図示しないパーソナルコンピュータ等の情報端末装置から、コネクタ６５、インターフェース回路部６２を介して入力されたデータ入力信号は、ベースバンド信号処理回路部６１によって必要な信号処理が行われ、変調回路６０及びミキサ回路５９によってスペクトラム拡散信号（例えば２．４ＧＨｚ帯）にスペクトラム拡散された後、増幅器５８によって増幅され、アンテナ５１から、通信相手側に送信される。
【０００９】
回路制御部６３は、受信回路部５２、送信回路部５７及びベースバンド信号処理回路部６１のそれぞれの動作を制御しており、電源部６４は、図示しないパーソナルコンピュータ等の情報端末装置から、コネクタ６５を介して供給される電源を入力し、カード型無線通信装置５０の内部の前記各回路に電源＋Ｂを供給する。
【００１０】
局部発振器５６は、ミキサ回路５４，５９のそれぞれが、動作をするのに必要な周波数信号（例えば２．４ＧＨｚ）を発生する。
【００１１】
【発明が解決しようとする課題】
しかしながら、上記従来技術では、カード型無線通信装置５０の電源部６４へは、図示しないパーソナルコンピュータ等の情報端末装置から、コネクタ６５を介して電源が供給されているため、パーソナルコンピュータ等の情報端末装置が商用電源を利用して使用している場合は、特に問題は生じない。
【００１２】
ところが、パーソナルコンピュータ等の情報端末装置を携帯して使用する場合、パーソナルコンピュータ等の情報端末装置は、その本体に内蔵の電池を電源として動作しており、カード型無線通信装置５０の電源部６４へは、パーソナルコンピュータ等の情報端末装置の本体に内蔵の電池から、コネクタ６５を介して電源が供給されることになる。したがって、カード型無線通信装置５０で消費される電力が大きくなるにつれて、パーソナルコンピュータ等の情報端末装置の本体に内蔵の電池が早く消耗し、パーソナルコンピュータ等の情報端末装置の携帯して使用できる時間が短くなるという問題が生じていた。
【００１３】
本発明は、上記のような課題を解決するためになされたものであって、受信した高周波信号のレベルに応じて、カード型無線通信装置を構成する各回路部の電源を独立してオンオフ制御することにより低消費電力化を図ったカード型無線通信装置及びそれを用いた無線通信システムを提供することを目的とする。
【００１４】
【課題を解決するための手段】
上記課題を解決するため、本発明は、情報端末装置に接続され、アンテナと、このアンテナから受信した高周波信号を周波数変換及び復調しベースバンド受信信号を出力する受信回路部と、入力されたベースバンド送信信号を変調及び周波数変換し前記アンテナに高周波信号を出力する送信回路部と、前記ベースバンド送信信号及びベースバンド受信信号の信号処理を行うベースバンド信号処理回路部と、前記情報端末装置間のインターフェース機能を有するインターフェース回路部と、前記各回路部に電源を供給する電源部と、前記情報端末装置に接続するコネクタとを備えたカード型無線通信装置において、
前記アンテナから受信した高周波信号のレベルに応じた複数の異なる検出信号を出力する受信信号レベル検出手段と、前記電源部から前記送信回路部、ベースバンド信号処理回路部及びインターフェース回路部の３つの回路部への電源供給を前記３つの回路部ごとに独立してオンオフする第１のスイッチ手段と、前記複数の異なる検出信号それぞれに対応させて前記３つの回路部の内で電源オンする回路部及び電源オフする回路部を記憶した第１の記憶手段と、前記複数の異なる検出信号と前記第１の記憶手段に記憶された内容に基づき前記３つの回路部の電源をオンオフするように前記第１のスイッチ手段を制御する第１の制御手段とを備えたことを特徴とするものである。
【００１５】
また、本発明は、上記のカード型無線通信装置において、前記受信回路部は、受信した前記高周波信号を増幅するために直列接続された複数の増幅器を含み、前記電源部から前記各増幅器への電源供給を前記各増幅器ごとに独立してオンオフする第２のスイッチ手段と、前記各増幅器ごとに独立して前記各増幅器を短絡または開放する第３のスイッチ手段と、前記複数の異なる検出信号それぞれに対応させて前記各増幅器の内で電源オンする増幅器及び電源オフする増幅器を記憶した第２の記憶手段と、前記複数の異なる検出信号と前記第２の記憶手段に記憶された内容に基づき前記各増幅器の電源をオンオフするように前記第２のスイッチ手段を制御するとともに電源がオンされた前記増幅器を開放し電源がオフされた前記増幅器を短絡するように前記第３のスイッチ手段を制御する第２の制御手段とを備えたことを特徴とするものである。
【００１６】
また、本発明は、上記のカード型無線通信装置において、前記受信信号レベル検出手段は、受信信号レベルが強いレベルから弱いレベルの順序で第１の検出信号、第２の検出信号、第３の検出信号及び第４の検出信号を出力し、前記第１の記憶手段には、前記第１の検出信号に対応して、前記送信回路部、ベースバンド信号処理回路部及びインターフェース回路部の電源を全てオンし、前記第２の検出信号に対応して、前記送信回路部の電源をオフ、前記ベースバンド信号処理回路部及びインターフェース回路部の電源をオンし、前記第３の検出信号に対応して、前記送信回路部及びベースバンド信号処理回路部の電源をオフ、前記インターフェース回路部の電源をオンし、前記第４の検出信号に対応して、前記送信回路部、ベースバンド信号処理回路部及びインターフェース回路部の電源を全てオフするように記憶されていることを特徴とするものである。
また、本発明は、
情報端末装置に接続され、
アンテナと、
このアンテナから受信した高周波信号を周波数変換及び復調しベースバンド受信信号を出力する受信回路部と、
入力されたベースバンド送信信号を変調及び周波数変換し前記アンテナに高周波信号を出力する送信回路部と、
前記ベースバンド送信信号及びベースバンド受信信号の信号処理を行うベースバンド信号処理回路部と、前記情報端末装置間のインターフェース機能を有するインターフェース回路部と、
前記各回路部に電源を供給する電源部と、前記情報端末装置に接続するコネクタとを備えたカード型無線通信装置において、
前記受信回路部に備えられたものであって、受信した前記高周波信号を増幅するために直列接続された複数の増幅器と、
前記アンテナから受信した高周波信号のレベルに応じて、受信信号レベルが強いレベルから弱いレベルの順序で第１の検出信号、第２の検出信号、第３の検出信号及び第４の検出信号を出力するとともに、受信信号レベルが前記第１の検出信号のレベル範囲にある場合に、受信信号レベルが強いレベルから弱いレベルの順序で複数の副検出信号を出力する受信信号レベル検出手段と、
前記電源部から前記送信回路部、ベースバンド信号処理回路部及びインターフェース回路部の３つの回路部への電源供給を前記３つの回路部ごとに独立してオンオフする第１のスイッチ手段と、
前記電源部から前記各増幅器への電源供給を前記各増幅器ごとに独立してオンオフする第２のスイッチ手段と、
前記各増幅器ごとに独立して前記各増幅器を短絡または開放する第３のスイッチ手段と、
前記第１の検出信号に対応して、前記送信回路部、ベースバンド信号処理回路部及びインターフェース回路部の電源を全てオンし、前記第２の検出信号に対応して、前記送信回路部の電源をオフ、前記ベースバンド信号処理回路部及びインターフェース回路部の電源をオンし、前記第３の検出信号に対応して、前記送信回路部及びベースバンド信号処理回路部の電源をオフ、前記インターフェース回路部の電源をオンし、前記第４の検出信号に対応して、前記送信回路部、ベースバンド信号処理回路部及びインターフェース回路部の電源を全てオフするように、前記３つの回路部の内で電源オンする回路部及び電源オフする回路部を記憶した第１の記憶手段と、
前記検出信号と前記第１の記憶手段に記憶された内容に基づき前記３つの回路部の電源をオンオフするように前記第１のスイッチ手段を制御する第１の制御手段と、
前記副検出信号に対応させて前記各増幅器の内で電源オンする増幅器及び電源オフする増幅器を記憶した第２の記憶手段と、
前記副検出信号と前記第２の記憶手段に記憶された内容に基づき前記各増幅器の電源をオンオフするように前記第２のスイッチ手段を制御するとともに電源がオンされた前記増幅器を開放し電源がオフされた前記増幅器を短絡するように前記第３のスイッチ手段を制御する第２の制御手段とを備えたことを特徴とするものである。
【００１７】
また、本発明は、上記のカード型無線通信装置において、前記アンテナから送受信される高周波信号の周波数帯域が２．４ＧＨｚ帯であり、スペクトラム拡散技術を利用した周波数ホッピング方式を使用していることを特徴とするものである。
【００１８】
また、本発明は、情報端末装置と、この情報端末装置に接続され、アンテナと、このアンテナから受信した高周波信号を周波数変換及び復調しベースバンド受信信号を出力する受信回路部と、入力されたベースバンド送信信号を変調及び周波数変換し前記アンテナに高周波信号を出力する送信回路部と、前記ベースバンド送信信号及びベースバンド受信信号の信号処理を行うベースバンド信号処理回路部と、前記情報端末装置間のインターフェース機能を有するインターフェース回路部と、前記各回路部に電源を供給する電源部と、前記情報端末装置に接続するコネクタとを備えたカード型無線通信装置とからなる無線通信システムにおいて、
前記カード型無線通信装置は、前記アンテナから受信した高周波信号のレベルに応じた複数の異なる検出信号を出力する受信信号レベル検出手段と、前記電源部から前記送信回路部、ベースバンド信号処理回路部及びインターフェース回路部の３つの回路部への電源供給を前記３つの回路部ごとに独立してオンオフする第１のスイッチ手段とを備え、
前記情報端末装置は、前記複数の異なる検出信号それぞれに対応させて前記３つの回路部の内で電源オンする回路部及び電源オフする回路部を記憶した第１の記憶手段と、前記複数の異なる検出信号と前記第１の記憶手段に記憶された内容に基づき前記３つの回路部の電源をオンオフするように前記第１のスイッチ手段を制御する第１の制御手段とを備えたことを特徴とするものである。
【００１９】
また、本発明は、上記の無線通信システムにおいて、前記カード型無線通信装置は、前記受信回路部に、受信した前記高周波信号を増幅するために直列接続された複数の増幅器を含み、前記電源部から前記各増幅器への電源供給を前記各増幅器ごとに独立してオンオフする第２のスイッチ手段と、前記各増幅器ごとに独立して前記各増幅器を短絡または開放する第３のスイッチ手段とを備え、
前記情報端末装置は、前記複数の異なる検出信号それぞれに対応させて前記各増幅器の内で電源オンする増幅器及び電源オフする増幅器を記憶した第２の記憶手段と、前記複数の異なる検出信号と前記第２の記憶手段に記憶された内容に基づき前記各増幅器の電源をオンオフするように前記第２のスイッチ手段を制御するとともに電源がオンされた前記増幅器を開放し電源がオフされた前記増幅器を短絡するように前記第３のスイッチ手段を制御する第２の制御手段とを備えたことを特徴とするものである。
【００２０】
また、本発明は、上記の無線通信システムにおいて、前記受信信号レベル検出手段は、受信信号レベルが強いレベルから弱いレベルの順序で第１の検出信号、第２の検出信号、第３の検出信号及び第４の検出信号を出力し、前記第１の記憶手段には、前記第１の検出信号に対応して、前記送信回路部、ベースバンド信号処理回路部及びインターフェース回路部の電源を全てオンし、前記第２の検出信号に対応して、前記送信回路部の電源をオフ、前記ベースバンド信号処理回路部及びインターフェース回路部の電源をオンし、前記第３の検出信号に対応して、前記送信回路部及びベースバンド信号処理回路部の電源をオフ、前記インターフェース回路部の電源をオンし、前記第４の検出信号に対応して、前記送信回路部、ベースバンド信号処理回路部及びインターフェース回路部の電源を全てオフするように記憶されていることを特徴とするものである。
また、本発明は、
情報端末装置と、
この情報端末装置に接続され、
アンテナと、
このアンテナから受信した高周波信号を周波数変換及び復調しベースバンド受信信号を出力する受信回路部と、
入力されたベースバンド送信信号を変調及び周波数変換し前記アンテナに高周波信号を出力する送信回路部と、
前記ベースバンド送信信号及びベースバンド受信信号の信号処理を行うベースバンド信号処理回路部と、
前記情報端末装置間のインターフェース機能を有するインターフェース回路部と、
前記各回路部に電源を供給する電源部と、前記情報端末装置に接続するコネクタとを備えたカード型無線通信装置とからなる無線通信システムにおいて、
前記カード型無線通信装置は、
前記受信回路部に備えられたものであって、受信した前記高周波信号を増幅するために直列接続された複数の増幅器と、
前記アンテナから受信した高周波信号のレベルに応じて、受信信号レベルが強いレベルから弱いレベルの順序で第１の検出信号、第２の検出信号、第３の検出信号及び第４の検出信号を出力するとともに、受信信号レベルが前記第１の検出信号のレベル範囲にある場合に、受信信号レベルが強いレベルから弱いレベルの順序で複数の副検出信号を出力する受信信号レベル検出手段と、
前記電源部から前記送信回路部、ベースバンド信号処理回路部及びインターフェース回路部の３つの回路部への電源供給を前記３つの回路部ごとに独立してオンオフする第１のスイッチ手段と、
前記電源部から前記各増幅器への電源供給を前記各増幅器ごとに独立してオンオフする第２のスイッチ手段と、
前記各増幅器ごとに独立して前記各増幅器を短絡または開放する第３のスイッチ手段とを備え、
前記情報端末装置は、
前記第１の検出信号に対応して、前記送信回路部、ベースバンド信号処理回路部及びインターフェース回路部の電源を全てオンし、前記第２の検出信号に対応して、前記送信回路部の電源をオフ、前記ベースバンド信号処理回路部及びインターフェース回路部の電源をオンし、前記第３の検出信号に対応して、前記送信回路部及びベースバンド信号処理回路部の電源をオフ、前記インターフェース回路部の電源をオンし、前記第４の検出信号に対応して、前記送信回路部、ベースバンド信号処理回路部及びインターフェース回路部の電源を全てオフするように、前記３つの回路部の内で電源オンする回路部及び電源オフする回路部を記憶した第１の記憶手段と、
前記検出信号と前記第１の記憶手段に記憶された内容に基づき前記３つの回路部の電源をオンオフするように前記第１のスイッチ手段を制御する第１の制御手段と、
前記副検出信号に対応させて前記各増幅器の内で電源オンする増幅器及び電源オフする増幅器を記憶した第２の記憶手段と、
前記副検出信号と前記第２の記憶手段に記憶された内容に基づき前記各増幅器の電源をオンオフするように前記第２のスイッチ手段を制御するとともに電源がオンされた前記増幅器を開放し電源がオフされた前記増幅器を短絡するように前記第３のスイッチ手段を制御する第２の制御手段とを備えていることを特徴とするものである。
【００２１】
また、本発明は、上記の無線通信システムにおいて、前記アンテナから送受信される高周波信号の周波数帯域が２．４ＧＨｚ帯であり、スペクトラム拡散技術を利用した周波数ホッピング方式を使用していることを特徴とするものである。
【００２２】
【発明の実施の形態】
以下、本発明の一実施の形態について、図面を参照して説明する。
【００２３】
図１は、本実施形態のカード型無線通信装置の概略的構成を示すブロック回路図である。図１の本実施形態のカード型無線通信装置１は、以下の回路構成からなる。アンテナ１１は、受信回路部１２と送信回路部１７に接続されている。
【００２４】
受信回路部１２は、直列接続された複数の増幅器１３ａ，１３ｂ，１３ｃ、ミキサ回路１４及び復調回路１５からなり、アンテナ１１は、増幅器１３ａ，１３ｂ，１３ｃ、ミキサ回路１４、復調回路１５を介して、ベースバンド信号処理回路部２１に接続されている。また、送信回路部１７は、変調回路２０、ミキサ回路１９及び増幅器１８からなり、ベースバンド信号処理回路部２１は、変調回路２０、ミキサ回路１９、増幅器１８を介して、アンテナ１１に接続されている。そして、ミキサ回路１４及びミキサ回路１９には、局部発振器１６が接続されている。
【００２５】
また、ベースバンド信号処理回路部２１は、インターフェース回路部２２を介して、コネクタ２５に接続され、さらに、受信回路部１２、送信回路部１７及びベースバンド信号処理回路部２１のそれぞれには、回路制御部２３が接続されている。
【００２６】
また、電源部２４は、コネクタ２５と接続されるとともに、第１のスイッチ手段３３のスイッチ回路３３ａ，３３ｂ，３３ｃのそれぞれを介して、送信回路部１７、ベースバンド信号処理回路部２１及びインターフェース回路部２２の３つの回路部それぞれと接続され、さらに、第２のスイッチ手段３６のスイッチ回路３６ａ，３６ｂのそれぞれを介して、増幅器１３ａ，１３ｂのそれぞれと接続されている。そして、電源部２４は、カード型無線通信装置１の上記以外の各回路とは、直接に接続されている。
【００２７】
また、増幅器１３ａ，１３ｂのそれぞれは、第３のスイッチ手段３７のスイッチ回路３７ａ，３７ｂのそれぞれが接続されている。
【００２８】
また、復調回路１５の出力は、受信信号レベル検出手段３０に接続され、この受信信号レベル検出手段３０の出力は、第１の制御手段３１を介して第１のスイッチ手段３３に接続されるとともに、第２の制御手段３４を介して第２のスイッチ手段３６及び第３のスイッチ手段３７に接続されている。
【００２９】
そして、第１の制御手段３１には、第１の記憶手段３２が接続され、第２の制御手段３４には、第２の記憶手段３５が接続されている。
【００３０】
次に、図１の本実施形態のカード型無線通信装置１の動作について説明する。受信側において、アンテナ１１で受信した通信相手側からのスペクトラム拡散信号（例えば２．４ＧＨｚ帯）は、増幅器１３ａ，１３ｂ，１３ｃにより増幅され、ミキサ回路１４に印加される。前記受信高周波信号は、ミキサ回路１４及び復調回路１５によってベースバンド信号に復調され、ベースバンド信号処理回路部２１によって必要な信号処理が行われ、インターフェース回路部２２を介してコネクタ２５より図示しないパーソナルコンピュータ等の情報端末装置に出力される。
【００３１】
送信側において、図示しないパーソナルコンピュータ等の情報端末装置から、コネクタ２５、インターフェース回路部２２を介して入力されたデータ入力信号は、ベースバンド信号処理回路部２１によって必要な信号処理が行われ、変調回路２０及びミキサ回路１９によってスペクトラム拡散信号（例えば２．４ＧＨｚ帯）にスペクトラム拡散された後、増幅器１８によって増幅され、アンテナ１１から、通信相手側に送信される。
【００３２】
回路制御部２３は、受信回路部１２、送信回路部１７及びベースバンド信号処理回路部２１のそれぞれの動作を制御している。
【００３３】
電源部２４は、図示しないパーソナルコンピュータ等の情報端末装置から、コネクタ２５を介して供給される電源を入力し、カード型無線通信装置１の内部の各回路が動作するのに必要な電源＋Ｂを，第１のスイッチ手段３３のスイッチ回路３３ａ，３３ｂ，３３ｃのそれぞれを介して、送信回路部１７、ベースバンド信号処理回路部２１及びインターフェース回路部２２の３つの回路部それぞれに供給し、さらに、第２のスイッチ手段３６のスイッチ回路３６ａ，３６ｂのそれぞれを介して、増幅器１３ａ，１３ｂのそれぞれに供給している。そして、電源部２４は、カード型無線通信装置１の上記以外の各回路には、カード型無線通信装置１の内部の各回路が動作するのに必要な電源＋Ｂを直接に供給している。
【００３４】
受信信号レベル検出手段３０は、アンテナ１１から受信した高周波信号のレベルに応じた複数の異なる検出信号を、第１の制御手段３１及び第２の制御手段３４に出力する。
【００３５】
第１のスイッチ手段３３は、スイッチ回路３３ａ，３３ｂ，３３ｃにて、電源部２４から送信回路部１７、ベースバンド信号処理回路部２１及びインターフェース回路部２２の３つの回路部への電源供給を、前記３つの回路部ごとに独立してオンオフする。
【００３６】
第１の記憶手段３２は、前記複数の異なる検出信号それぞれに対応させて前記３つの回路部の内で電源オンする回路部及び電源オフする回路部を記憶している。
【００３７】
第１の制御手段３１は、前記複数の異なる検出信号と第１の記憶手段３２に記憶された内容に基づき前記３つの回路部の電源をオンオフするように第１のスイッチ手段３３を制御する。
【００３８】
第２のスイッチ手段３６は、スイッチ回路３６ａ，３６ｂにて、電源部２４から増幅器１３ａ，１３ｂへの電源供給を前記各増幅器ごとに独立してオンオフする。
【００３９】
第３のスイッチ手段３７は、増幅器１３ａ，１３ｂごとに独立して増幅器１３ａ，１３ｂを短絡または開放する。
【００４０】
第２の記憶手段３５は、前記複数の異なる検出信号それぞれに対応させて増幅器１３ａ，１３ｂの内で電源オンする増幅器及び電源オフする増幅器を記憶している。
【００４１】
第２の制御手段３４は、前記複数の異なる検出信号と第２の記憶手段３５に記憶された内容に基づき増幅器１３ａ，１３ｂの電源をオンオフするように第２のスイッチ手段３６を制御するとともに電源がオンされた前記増幅器を開放し電源がオフされた前記増幅器を短絡するように第３のスイッチ手段３７を制御する。
【００４２】
図２は、本発明の一実施の形態に係わる無線通信システムの概略的構成を示すブロック回路図である。図２の本実施形態の無線通信システム２は、カード型無線通信装置３と情報端末装置４とからなる。情報端末装置４は、例えばパーソナルコンピュータ等である。
【００４３】
本実施形態の無線通信システム２のカード型無線通信装置３は、以下の回路構成からなる。アンテナ１１は、受信回路部１２と送信回路部１７に接続されている。
【００４４】
受信回路部１２は、直列接続された複数の増幅器１３ａ，１３ｂ，１３ｃ、ミキサ回路１４及び復調回路１５からなり、アンテナ１１は、増幅器１３ａ，１３ｂ，１３ｃ、ミキサ回路１４、復調回路１５を介して、ベースバンド信号処理回路部２１に接続されている。また、送信回路部１７は、変調回路２０、ミキサ回路１９及び増幅器１８からなり、ベースバンド信号処理回路部２１は、変調回路２０、ミキサ回路１９、増幅器１８を介して、アンテナ１１に接続されている。そして、ミキサ回路１４及びミキサ回路１９には、局部発振器１６が接続されている。
【００４５】
また、ベースバンド信号処理回路部２１は、インターフェース回路部２２を介して、コネクタ２５に接続され、さらに、受信回路部１２、送信回路部１７及びベースバンド信号処理回路部２１のそれぞれには、回路制御部２３が接続されている。
【００４６】
また、電源部２４は、コネクタ２５を介して後述する情報端末装置４の本体電源回路２６と接続されるとともに、第１のスイッチ手段３３のスイッチ回路３３ａ，３３ｂ，３３ｃのそれぞれを介して、送信回路部１７、ベースバンド信号処理回路部２１及びインターフェース回路部２２の３つの回路部それぞれと接続され、さらに、第２のスイッチ手段３６のスイッチ回路３６ａ，３６ｂのそれぞれを介して、増幅器１３ａ，１３ｂのそれぞれと接続されている。そして、電源部２４は、カード型無線通信装置３の上記以外の各回路とは、直接に接続されている。
【００４７】
また、増幅器１３ａ，１３ｂのそれぞれは、第３のスイッチ手段３７のスイッチ回路３７ａ，３７ｂのそれぞれが接続されている。
【００４８】
また、復調回路１５の出力は、受信信号レベル検出手段３０に接続され、この受信信号レベル検出手段３０の出力は、インターフェース回路部２２、後述する情報端末装置４の第１の制御手段３１、インターフェース回路部２２を介して第１のスイッチ手段３３に接続されるとともに、インターフェース回路部２２、後述する情報端末装置４の第２の制御手段３４、インターフェース回路部２２を介して第２のスイッチ手段３６及び第３のスイッチ手段３７に接続されている。
【００４９】
そして、本実施形態の無線通信システム２の情報端末装置４は、第１の制御手段３１、第２の制御手段３４及び本体電源回路２６を備え、第１の制御手段３１には、第１の記憶手段３２が接続され、第２の制御手段３４には、第２の記憶手段３５が接続されている。
【００５０】
本体電源回路２６は、コネクタ２５を介して、カード型無線通信装置３の電源部２４に接続されている。
【００５１】
次に、図２の本実施形態の無線通信システム２の動作について説明する。カード型無線通信装置３の受信側において、アンテナ１１で受信した通信相手側からのスペクトラム拡散信号（例えば２．４ＧＨｚ帯）は、増幅器１３ａ，１３ｂ，１３ｃにより増幅され、ミキサ回路１４に印加される。前記受信高周波信号は、ミキサ回路１４及び復調回路１５によってベースバンド信号に復調され、ベースバンド信号処理回路部２１によって必要な信号処理が行われ、インターフェース回路部２２を介してコネクタ２５よりパーソナルコンピュータ等の情報端末装置４に出力される。
【００５２】
カード型無線通信装置３の送信側において、パーソナルコンピュータ等の情報端末装置４から、コネクタ２５、インターフェース回路部２２を介して入力されたデータ入力信号は、ベースバンド信号処理回路部２１によって必要な信号処理が行われ、変調回路２０及びミキサ回路１９によってスペクトラム拡散信号（例えば２．４ＧＨｚ帯）にスペクトラム拡散された後、増幅器１８によって増幅され、アンテナ１１から、通信相手側に送信される。
【００５３】
回路制御部２３は、受信回路部１２、送信回路部１７及びベースバンド信号処理回路部２１のそれぞれの動作を制御している。
【００５４】
電源部２４は、パーソナルコンピュータ等の情報端末装置４の本体電源回路２６から、コネクタ２５を介して供給される電源を入力し、カード型無線通信装置３の内部の各回路が動作するのに必要な電源＋Ｂを、第１のスイッチ手段３３のスイッチ回路３３ａ，３３ｂ，３３ｃのそれぞれを介して、送信回路部１７、ベースバンド信号処理回路部２１及びインターフェース回路部２２の３つの回路部それぞれに供給し、さらに、第２のスイッチ手段３６のスイッチ回路３６ａ，３６ｂのそれぞれを介して、増幅器１３ａ，１３ｂのそれぞれに供給している。そして、電源部２４は、カード型無線通信装置３の上記以外の各回路には、カード型無線通信装置３の内部の各回路が動作するのに必要な電源＋Ｂを直接に供給している。
【００５５】
受信信号レベル検出手段３０は、アンテナ１１から受信した高周波信号のレベルに応じた複数の異なる検出信号を、インターフェース回路部２２を介して第１の制御手段３１及び第２の制御手段３４に出力する。
【００５６】
第１のスイッチ手段３３は、スイッチ回路３３ａ，３３ｂ，３３ｃにて、電源部２４から送信回路部１７、ベースバンド信号処理回路部２１及びインターフェース回路部２２の３つの回路部への電源供給を、前記３つの回路部ごとに独立してオンオフする。
【００５７】
第２のスイッチ手段３６は、スイッチ回路３６ａ，３６ｂにて、電源部２４から増幅器１３ａ，１３ｂへの電源供給を前記各増幅器ごとに独立してオンオフする。
【００５８】
第３のスイッチ手段３７は、増幅器１３ａ，１３ｂごとに独立して増幅器１３ａ，１３ｂを短絡または開放する。
【００５９】
パーソナルコンピュータ等の情報端末装置４に備えられた、第１の記憶手段３２、第１の制御手段３１、第２の記憶手段３５及び第２の制御手段３４について説明する。
【００６０】
第１の記憶手段３２は、カード型無線通信装置３における前記複数の異なる検出信号それぞれに対応させて前記３つの回路部の内で電源オンする回路部及び電源オフする回路部を記憶している。
【００６１】
第１の制御手段３１は、カード型無線通信装置３における前記複数の異なる検出信号と第１の記憶手段３２に記憶された内容に基づき前記３つの回路部の電源をオンオフするようにインターフェース回路部２２を介して第１のスイッチ手段３３を制御する。
【００６２】
第２の記憶手段３５は、カード型無線通信装置３における前記複数の異なる検出信号それぞれに対応させて増幅器１３ａ，１３ｂの内で電源オンする増幅器及び電源オフする増幅器を記憶している。
【００６３】
第２の制御手段３４は、カード型無線通信装置３における前記複数の異なる検出信号と第２の記憶手段３５に記憶された内容に基づき増幅器１３ａ，１３ｂの電源をオンオフするようにインターフェース回路部２２を介して第２のスイッチ手段３６を制御するとともに、電源がオンされた前記増幅器を開放し電源がオフされた前記増幅器を短絡するようにインターフェース回路部２２を介して第３のスイッチ手段３７を制御する。
【００６４】
図３は、本発明の一実施の形態に係わるカード型無線通信装置及び無線通信システムの第１の制御手段の動作を説明したフローチャート図であり、図５は、本発明の一実施の形態に係わるカード型無線通信装置及び無線通信システムの第１の記憶手段の内容を説明した図である。
【００６５】
まず、図５を用いて本実施形態のカード型無線通信装置１及び無線通信システム２の第１の記憶手段３２の内容について以下に説明する。
【００６６】
受信信号レベル検出手段３０は、受信信号レベルが強いレベルから弱いレベルの順序で第１の検出信号、第２の検出信号、第３の検出信号及び第４の検出信号を出力する。
【００６７】
第１の記憶手段３２には、前記第１の検出信号に対応して、第１のスイッチ手段３３のスイッチ回路３３ａをオン、スイッチ回路３３ｂをオン、スイッチ回路３３ｃをオンして、送信回路部１７、ベースバンド信号処理回路部２１及びインターフェース回路部２２の電源を全てオンするようにデータが記憶されている。
【００６８】
また、前記第２の検出信号に対応して、第１のスイッチ手段３３のスイッチ回路３３ａをオフ、スイッチ回路３３ｂをオン、スイッチ回路３３ｃをオンして、送信回路部１７の電源をオフ、ベースバンド信号処理回路部２１及びインターフェース回路部２２の電源をオンするようにデータが記憶されている。
【００６９】
また、前記第３の検出信号に対応して、第１のスイッチ手段３３のスイッチ回路３３ａをオフ、スイッチ回路３３ｂをオフ、スイッチ回路３３ｃをオンして、送信回路部１７及びベースバンド信号処理回路部２１の電源をオフ、インターフェース回路部２２の電源をオンするようにデータが記憶されている。
【００７０】
また、前記第４の検出信号に対応して、第１のスイッチ手段３３のスイッチ回路３３ａをオフ、スイッチ回路３３ｂをオフ、スイッチ回路３３ｃをオフして、送信回路部１７、ベースバンド信号処理回路部２１及びインターフェース回路部２２の電源を全てオフするようにデータが記憶されている。
【００７１】
次に、図３を用いて本実施形態のカード型無線通信装置１及び無線通信システム２の第１の制御手段３１の動作について以下に説明する。
【００７２】
前記受信信号レベル検出手段３０は、受信信号レベルが強いレベルから弱いレベルの順序で第１の検出信号、第２の検出信号、第３の検出信号及び第４の検出信号を出力する。
【００７３】
ステップＳ１において、受信信号レベル検出手段３０からの検出信号を入力し、ステップＳ２に移る。
【００７４】
ステップＳ２において、入力した前記検出信号が、第１の検出信号であるかどうかを判断し、第１の検出信号であれば、第１の記憶手段３２より前記第１の検出信号に対応するデータを読み出してからステップＳ６に移る。また、入力した前記検出信号が、第１の検出信号でなければステップＳ３に移る。
【００７５】
ステップＳ３において、入力した前記検出信号が、第２の検出信号であるかどうかを判断し、第２の検出信号であれば、第１の記憶手段３２より前記第２の検出信号に対応するデータを読み出してからステップＳ６に移る。また、入力した前記検出信号が、第２の検出信号でなければステップＳ４に移る。
【００７６】
ステップＳ４において、入力した前記検出信号が、第３の検出信号であるかどうかを判断し、第３の検出信号であれば、第１の記憶手段３２より前記第３の検出信号に対応するデータを読み出してからステップＳ６に移る。また、入力した前記検出信号が、第３の検出信号でなければステップＳ５に移る。
【００７７】
ステップＳ５において、入力した前記検出信号は、第４の検出信号であるので、第１の記憶手段３２より前記第４の検出信号に対応するデータを読み出してからステップＳ６に移る。
【００７８】
ステップＳ６において、ステップ２から５までのいずれかのステップで読み出したデータに基づき第１のスイッチ手段３３のスイッチ回路３３ａ，３３ｂ，３３ｃを制御してからステップＳ１に戻る。
【００７９】
上述のように、第１の制御手段３１は、入力した前記検出信号が、第１の検出信号の場合、送信回路部１７、ベースバンド信号処理回路部２１及びインターフェース回路部２２の電源を全てオンし、入力した前記検出信号が、第２の検出信号の場合、送信回路部１７の電源をオフ、ベースバンド信号処理回路部２１及びインターフェース回路部２２の電源をオンし、入力した前記検出信号が、第３の検出信号の場合、送信回路部１７及びベースバンド信号処理回路部２１の電源をオフ、インターフェース回路部２２の電源をオンし、入力した前記検出信号が、第４の検出信号の場合、送信回路部１７、ベースバンド信号処理回路部２１及びインターフェース回路部２２の電源を全てオフするように第１のスイッチ手段３３のスイッチ回路３３ａ，３３ｂ，３３ｃを制御するのである。
【００８０】
図４は、本発明の一実施の形態に係わるカード型無線通信装置及び無線通信システムの第２の制御手段の動作を説明したフローチャート図であり、図６は、本発明の一実施の形態に係わるカード型無線通信装置及び無線通信システムの第２の記憶手段の内容を説明した図である。
【００８１】
まず、図６を用いて本実施形態のカード型無線通信装置１及び無線通信システム２の第２の記憶手段３５の内容について以下に説明する。
【００８２】
受信信号レベル検出手段３０は、受信信号レベルが強いレベルから弱いレベルの順序で、第１ａの検出信号、第１ｂの検出信号及び第１ｃの検出信号を出力する。
【００８３】
第２の記憶手段３５には、前記第１ａ検出信号に対応して、第２のスイッチ手段３６のスイッチ回路３６ａをオフ、スイッチ回路３６ｂをオフ、第３のスイッチ手段３７のスイッチ回路３７ａをオン、スイッチ回路３７ｂをオンして、増幅器１３ａを短絡して電源をオフ、増幅器１３ｂを短絡して電源をオフするようにデータが記憶されている。
【００８４】
また、前記第１ｂ検出信号に対応して、第２のスイッチ手段３６のスイッチ回路３６ａをオン、スイッチ回路３６ｂをオフ、第３のスイッチ手段３７のスイッチ回路３７ａをオフ、スイッチ回路３７ｂをオンして、増幅器１３ａを開放して電源をオン、増幅器１３ｂを短絡して電源をオフするようにデータが記憶されている。
【００８５】
また、前記第１ｃ検出信号に対応して、第２のスイッチ手段３６のスイッチ回路３６ａをオン、スイッチ回路３６ｂをオン、第３のスイッチ手段３７のスイッチ回路３７ａをオフ、スイッチ回路３７ｂをオフして、増幅器１３ａを開放して電源をオン、増幅器１３ｂを開放して電源をオンするようにデータが記憶されている。
【００８６】
次に、図４を用いて本実施形態のカード型無線通信装置１及び無線通信システム２の第２の制御手段３４の動作について以下に説明する。
【００８７】
受信信号レベル検出手段３０は、受信信号レベルが強いレベルから弱いレベルの順序で、第１ａの検出信号、第１ｂの検出信号及び第１ｃの検出信号を出力する。
【００８８】
ステップＳ１において、受信信号レベル検出手段３０からの検出信号を入力し、ステップＳ２に移る。
【００８９】
ステップＳ２において、入力した前記検出信号が、第１ａの検出信号であるかどうかを判断し、第１ａの検出信号であれば、第２の記憶手段３５より前記第１ａの検出信号に対応するデータを読み出してからステップＳ５に移る。また、入力した前記検出信号が、第１ａの検出信号でなければステップＳ３に移る。
【００９０】
ステップＳ３において、入力した前記検出信号が、第１ｂの検出信号であるかどうかを判断し、第１ｂの検出信号であれば、第２の記憶手段３５より前記第１ｂの検出信号に対応するデータを読み出してからステップＳ５に移る。また、入力した前記検出信号が、第１ｂの検出信号でなければステップＳ４に移る。
【００９１】
ステップＳ４において、入力した前記検出信号は、第１ｃの検出信号であるので、第２の記憶手段３５より前記第１ｃの検出信号に対応するデータを読み出してからステップＳ５に移る。
【００９２】
ステップＳ５のおいて、ステップ２から４までのいずれかのステップで読み出したデータに基づき第２のスイッチ手段３６のスイッチ回路３６ａ，３６ｂ及び第３のスイッチ手段３７のスイッチ回路３７ａ，３７ｂを制御してからステップＳ１に戻る。
【００９３】
上述のように、第２の制御手段３４は、入力した前記検出信号が、前記第１ａ検出信号の場合、第２のスイッチ手段３６のスイッチ回路３６ａをオフ、スイッチ回路３６ｂをオフ、第３のスイッチ手段３７のスイッチ回路３７ａをオン、スイッチ回路３７ｂをオンして、増幅器１３ａを短絡して電源をオフ、増幅器１３ｂを短絡して電源をオフするように第２のスイッチ手段３６及び第３のスイッチ手段３７を制御する。
【００９４】
また、入力した前記検出信号が、前記第１ｂ検出信号の場合、第２のスイッチ手段３６のスイッチ回路３６ａをオン、スイッチ回路３６ｂをオフ、第３のスイッチ手段３７のスイッチ回路３７ａをオフ、スイッチ回路３７ｂをオンして、増幅器１３ａを開放して電源をオン、増幅器１３ｂを短絡して電源をオフするように第２のスイッチ手段３６及び第３のスイッチ手段３７を制御する。
【００９５】
また、入力した前記検出信号が、前記第１ｃ検出信号の場合、第２のスイッチ手段３６のスイッチ回路３６ａをオン、スイッチ回路３６ｂをオン、第３のスイッチ手段３７のスイッチ回路３７ａをオフ、スイッチ回路３７ｂをオフして、増幅器１３ａを開放して電源をオン、増幅器１３ｂを開放して電源をオンするように第２のスイッチ手段３６及び第３のスイッチ手段３７を制御する。
【００９６】
上述のカード型無線通信装置１及び無線通信システム２において、受信信号レベル検出手段３０から受信信号レベルが強いレベルから弱いレベルの順序で第１の制御手段３１に出力される、第１の検出信号、第２の検出信号、第３の検出信号及び第４の検出信号と、受信信号レベル検出手段３０から受信信号レベルが強いレベルから弱いレベルの順序で第２の制御手段３１に出力される、第１ａの検出信号、第１ｂの検出信号及び第１ｃの検出信号との関係は、たとえば、受信信号レベルが第１の検出信号のレベル範囲にある場合において、受信信号レベルが強いレベルから弱いレベルの順序で第１ａの検出信号、第１ｂの検出信号及び第１ｃの検出信号を出力するものである。
【００９７】
また、上述のカード型無線通信装置１及び無線通信システム２において、第２のスイッチ手段３６は２つのスイッチ回路３６ａ，３６ｂを備え、第３のスイッチ手段３７は２つのスイッチ回路３７ａ，３７ｂを備え、２つの増幅器１３ａ，１３ｂを制御する場合を例にして説明したが、これに限定するものではなく、第２のスイッチ手段３６及び第３のスイッチ手段３７はそれぞれ任意の数のスイッチ回路を備え、任意の数の増幅器を制御するようにしてもよい。
【００９８】
【発明の効果】
以上のように、本発明は、情報端末装置に接続され、アンテナと、このアンテナから受信した高周波信号を周波数変換及び復調しベースバンド受信信号を出力する受信回路部と、入力されたベースバンド送信信号を変調及び周波数変換し前記アンテナに高周波信号を出力する送信回路部と、前記ベースバンド送信信号及びベースバンド受信信号の信号処理を行うベースバンド信号処理回路部と、前記情報端末装置間のインターフェース機能を有するインターフェース回路部と、前記各回路部に電源を供給する電源部と、前記情報端末装置に接続するコネクタとを備えたカード型無線通信装置において、
前記アンテナから受信した高周波信号のレベルに応じた複数の異なる検出信号を出力する受信信号レベル検出手段と、前記電源部から前記送信回路部、ベースバンド信号処理回路部及びインターフェース回路部の３つの回路部への電源供給を前記３つの回路部ごとに独立してオンオフする第１のスイッチ手段と、前記複数の異なる検出信号それぞれに対応させて前記３つの回路部の内で電源オンする回路部及び電源オフする回路部を記憶した第１の記憶手段と、前記複数の異なる検出信号と前記第１の記憶手段に記憶された内容に基づき前記３つの回路部の電源をオンオフするように前記第１のスイッチ手段を制御する第１の制御手段とを備えたことを特徴とするものである。
【００９９】
したがって、本発明によれば、アンテナから受信した高周波信号のレベルに応じ、前記電源部から前記送信回路部、ベースバンド信号処理回路部及びインターフェース回路部の３つの回路部への電源供給を前記３つの回路部ごとに独立してオンオフすることにより、低消費電力化を図ったカード型無線通信装置を提供することができる。
【０１００】
また、本発明は、上記のカード型無線通信装置において、前記受信回路部は、受信した前記高周波信号を増幅するために直列接続された複数の増幅器を含み、前記電源部から前記各増幅器への電源供給を前記各増幅器ごとに独立してオンオフする第２のスイッチ手段と、前記各増幅器ごとに独立して前記各増幅器を短絡または開放する第３のスイッチ手段と、前記複数の異なる検出信号それぞれに対応させて前記各増幅器の内で電源オンする増幅器及び電源オフする増幅器を記憶した第２の記憶手段と、前記複数の異なる検出信号と前記第２の記憶手段に記憶された内容に基づき前記各増幅器の電源をオンオフするように前記第２のスイッチ手段を制御するとともに電源がオンされた前記増幅器を開放し電源がオフされた前記増幅器を短絡するように前記第３のスイッチ手段を制御する第２の制御手段とを備えたことを特徴とするものである。
【０１０１】
したがって、本発明によれば、アンテナから受信した高周波信号のレベルに応じ、前記電源部から前記送信回路部、ベースバンド信号処理回路部及びインターフェース回路部の３つの回路部への電源供給を前記３つの回路部ごとに独立してオンオフすることにより、低消費電力化を図ることに加えて、さらに、アンテナから受信した高周波信号のレベルに応じ、前記電源部から前記各増幅器への電源供給を前記各増幅器ごとに独立してオンオフすることで、さらなる低消費電力化を図ったカード型無線通信装置を提供することができる。
【０１０２】
また、本発明は、上記のカード型無線通信装置において、前記受信信号レベル検出手段は、受信信号レベルが強いレベルから弱いレベルの順序で第１の検出信号、第２の検出信号、第３の検出信号及び第４の検出信号を出力し、前記第１の記憶手段には、前記第１の検出信号に対応して、前記送信回路部、ベースバンド信号処理回路部及びインターフェース回路部の電源を全てオンし、前記第２の検出信号に対応して、前記送信回路部の電源をオフ、前記ベースバンド信号処理回路部及びインターフェース回路部の電源をオンし、前記第３の検出信号に対応して、前記送信回路部及びベースバンド信号処理回路部の電源をオフ、前記インターフェース回路部の電源をオンし、前記第４の検出信号に対応して、前記送信回路部、ベースバンド信号処理回路部及びインターフェース回路部の電源を全てオフするように記憶されていることを特徴とするものである。
【０１０３】
したがって、本発明によれば、受信信号レベルが強いレベルから弱いレベルにの順序で、前記送信回路部のみの電源をオフ、前記送信回路部及びベースバンド信号処理回路部のみの電源をオフ、前記送信回路部、ベースバンド信号処理回路部及びインターフェース回路部の電源を全てオフするように、受信信号レベルに応じて動作優先順位の低い回路部の電源からオフするように制御することにより、前記受信信号レベルが弱いレベルから強いレベルに移行した場合の回路動作立ち上がりスピードの向上を図ったカード型無線通信装置を提供することができる。
【０１０４】
また、本発明は、上記のカード型無線通信装置において、前記アンテナから送受信される高周波信号の周波数帯域が２．４ＧＨｚ帯であり、スペクトラム拡散技術を利用した周波数ホッピング方式を使用していることを特徴とするものである。
【０１０５】
したがって、本発明によれば、たとえば、短距離の無線データ通信規格であるブルートゥース機能を搭載したカード型無線通信装置の低消費電力化を図ることができる。
【０１０６】
また、本発明は、情報端末装置と、この情報端末装置に接続され、アンテナと、このアンテナから受信した高周波信号を周波数変換及び復調しベースバンド受信信号を出力する受信回路部と、入力されたベースバンド送信信号を変調及び周波数変換し前記アンテナに高周波信号を出力する送信回路部と、前記ベースバンド送信信号及びベースバンド受信信号の信号処理を行うベースバンド信号処理回路部と、前記情報端末装置間のインターフェース機能を有するインターフェース回路部と、前記各回路部に電源を供給する電源部と、前記情報端末装置に接続するコネクタとを備えたカード型無線通信装置とからなる無線通信システムにおいて、
前記カード型無線通信装置は、前記アンテナから受信した高周波信号のレベルに応じた複数の異なる検出信号を出力する受信信号レベル検出手段と、前記電源部から前記送信回路部、ベースバンド信号処理回路部及びインターフェース回路部の３つの回路部への電源供給を前記３つの回路部ごとに独立してオンオフする第１のスイッチ手段とを備え、
前記情報端末装置は、前記複数の異なる検出信号それぞれに対応させて前記３つの回路部の内で電源オンする回路部及び電源オフする回路部を記憶した第１の記憶手段と、前記複数の異なる検出信号と前記第１の記憶手段に記憶された内容に基づき前記３つの回路部の電源をオンオフするように前記第１のスイッチ手段を制御する第１の制御手段とを備えたことを特徴とするものである。
【０１０７】
したがって、本発明によれば、アンテナから受信した高周波信号のレベルに応じ、前記電源部から前記送信回路部、ベースバンド信号処理回路部及びインターフェース回路部の３つの回路部への電源供給を前記３つの回路部ごとに独立してオンオフすることにより、低消費電力化を図った無線通信システムを提供することができる。
【０１０８】
さらに、第１の記憶手段、第１の制御手段を情報端末装置側に備えることで、カード型無線通信装置側のさらなる低消費電力化を図ることにより、無線通信システムにおけるカード型無線通信装置の温度上昇を低減することができる。
【０１０９】
さらに、第１の記憶手段、第１の制御手段を情報端末装置側に備えることにより、カード型無線通信装置側の回路構成部品を削減し、無線通信システムにおけるカード型無線通信装置の小型化を図ることができる。
【０１１０】
また、本発明は、上記の無線通信システムにおいて、前記カード型無線通信装置は、前記受信回路部に、受信した前記高周波信号を増幅するために直列接続された複数の増幅器を含み、前記電源部から前記各増幅器への電源供給を前記各増幅器ごとに独立してオンオフする第２のスイッチ手段と、前記各増幅器ごとに独立して前記各増幅器を短絡または開放する第３のスイッチ手段とを備え、
前記情報端末装置は、前記複数の異なる検出信号それぞれに対応させて前記各増幅器の内で電源オンする増幅器及び電源オフする増幅器を記憶した第２の記憶手段と、前記複数の異なる検出信号と前記第２の記憶手段に記憶された内容に基づき前記各増幅器の電源をオンオフするように前記第２のスイッチ手段を制御するとともに電源がオンされた前記増幅器を開放し電源がオフされた前記増幅器を短絡するように前記第３のスイッチ手段を制御する第２の制御手段とを備えたことを特徴とするものである。
【０１１１】
したがって、本発明によれば、アンテナから受信した高周波信号のレベルに応じ、前記電源部から前記送信回路部、ベースバンド信号処理回路部及びインターフェース回路部の３つの回路部への電源供給を前記３つの回路部ごとに独立してオンオフすることにより、低消費電力化を図ることに加えて、さらに、アンテナから受信した高周波信号のレベルに応じ、前記電源部から前記各増幅器への電源供給を前記各増幅器ごとに独立してオンオフすることで、さらなる低消費電力化を図った無線通信システムを提供することができる。
【０１１２】
さらに、第１及び第２の記憶手段、第１及び第２の制御手段を情報端末装置側に備えることで、カード型無線通信装置側のさらなる低消費電力化を図ることにより、カード型無線通信装置の温度上昇を低減することができる。
【０１１３】
さらに、第１及び第２の記憶手段、第１及び第２の制御手段を情報端末装置側に備えることにより、カード型無線通信装置側の回路構成部品を削減し、無線通信システムにおけるカード型無線通信装置の小型化を図ることができる。
【０１１４】
また、本発明は、上記の無線通信システムにおいて、前記受信信号レベル検出手段は、受信信号レベルが強いレベルから弱いレベルの順序で第１の検出信号、第２の検出信号、第３の検出信号及び第４の検出信号を出力し、前記第１の記憶手段には、前記第１の検出信号に対応して、前記送信回路部、ベースバンド信号処理回路部及びインターフェース回路部の電源を全てオンし、前記第２の検出信号に対応して、前記送信回路部の電源をオフ、前記ベースバンド信号処理回路部及びインターフェース回路部の電源をオンし、前記第３の検出信号に対応して、前記送信回路部及びベースバンド信号処理回路部の電源をオフ、前記インターフェース回路部の電源をオンし、前記第４の検出信号に対応して、前記送信回路部、ベースバンド信号処理回路部及びインターフェース回路部の電源を全てオフするように記憶されていることを特徴とするものである。
【０１１５】
したがって、本発明によれば、受信信号レベルが強いレベルから弱いレベルにの順序で、前記送信回路部のみの電源をオフ、前記送信回路部及びベースバンド信号処理回路部のみの電源をオフ、前記送信回路部、ベースバンド信号処理回路部及びインターフェース回路部の電源を全てオフするように、受信信号レベルに応じて動作優先順位の低い回路部の電源からオフするように制御することにより、前記受信信号レベルが弱いレベルから強いレベルに移行した場合の回路動作立ち上がりスピードの向上を図った無線通信システムを提供することができる。
【０１１６】
また、本発明は、上記の無線通信システムにおいて、前記アンテナから送受信される高周波信号の周波数帯域が２．４ＧＨｚ帯であり、スペクトラム拡散技術を利用した周波数ホッピング方式を使用していることを特徴とするものである
したがって、本発明によれば、たとえば、短距離の無線データ通信規格であるブルートゥース機能を搭載した無線通信システムの低消費電力化を図ることができる。
【図面の簡単な説明】
【図１】本発明の一実施の形態に係わるカード型無線通信装置の概略的構成を示すブロック回路図である。
【図２】本発明の一実施の形態に係わる無線通信システムの概略的構成を示すブロック回路図である。
【図３】本発明の一実施の形態に係わるカード型無線通信装置及び無線通信システムの第１の制御手段の動作を説明したフローチャート図である。
【図４】本発明の一実施の形態に係わるカード型無線通信装置及び無線通信システムの第２の制御手段の動作を説明したフローチャート図である。
【図５】本発明の一実施の形態に係わるカード型無線通信装置及び無線通信システムの第１の記憶手段の内容を説明した図である。
【図６】本発明の一実施の形態に係わるカード型無線通信装置及び無線通信システムの第２の記憶手段の内容を説明した図である。
【図７】従来のカード型無線通信装置の概略的構成を示すブロック回路図である。
【符号の説明】
１  カード型無線通信装置
２  無線通信システム
３  カード型無線通信装置
４  情報端末装置
１１  アンテナ
１２  受信回路部
１３ａ，１３ｂ，１３ｃ  増幅器
１４  ミキサ回路
１５  復調回路
１６  局部発振器
１７  送信回路部
１８  増幅器
１９  ミキサ回路
２０  変調回路
２１  ベースバンド信号処理回路部
２２  インターフェース回路部
２３  回路制御部
２４  電源部
２５  コネクタ
２６  本体電源回路
３０  受信信号レベル検出手段
３１  第１の制御手段
３２  第１の記憶手段
３３  第１のスイッチ手段
３３ａ，３３ｂ，３３ｃ  スイッチ回路
３４  第２の制御手段
３５  第２の記憶手段
３６  第２のスイッチ手段
３６ａ，３６ｂ  スイッチ回路
３７  第３のスイッチ手段
３７ａ，３７ｂ  スイッチ回路
【図１】
0003625187.tif 000002
【図２】
0003625187.tif 000003
【図３】
0003625187.tif 000004
【図４】
0003625187.tif 000005
【図５】
0003625187.tif 000006
【図６】
0003625187.tif 000007
【図７】
0003625187.tif 000008